(57)【要約】フイット感があり、しかも長時間履いた状態でも疲れや鬱血等が生じることがない靴下を提供をすることを目的とし、かかる靴下は、爪先から少なくとも足首までの長さを備え、且つ、編成糸により編成された靴下であって、この靴下の足裏の土踏まず部分（アーチ部分）の内側半分の領域に、表糸と裏糸とで地編組織を編成するとともに、この表糸とともに補助糸をさらに挿入することによって、収縮した且つ伸長性を低減させた編成部分を形成した。
2007088634.tif 000002
【特許請求の範囲】
【請求項１】
爪先から少なくとも足首までの長さを備え、且つ、編成糸を編成することにより形成された靴下であって、
この靴下の足裏の土踏まず部分の少なくとも内側半分の領域に、表糸と裏糸とで地編組織を編成するとともに、この表糸とともに補助糸をさらに挿入することによって、収縮した且つ伸長性を低減させた編成部分を形成したことを特徴とする靴下。
【請求項２】
前記補助糸が、芯糸とカバー糸を有するＦＴＹであり、前記カバー糸にポリエステル糸あるいはナイロン糸を使用したものであり、編成完了後にヒートセット処理を施したことを特徴とする請求項１記載の靴下。
【請求項３】
前記足裏の土踏まず部分の内側半分の領域の編成糸として、さらにゴム糸が挿入されていることを特徴とする請求項１又は２記載の靴下。
【請求項４】
前記土踏まず部分の内側半分の領域の地編組織が、畦編みもしくは平編み又はメッシュ編みであることを特徴とする請求項１〜３のいずれか１の項に記載の靴下。
【請求項５】
前記芯糸の太さが２５デニール〜１１０デニールであり、前記カバー糸の太さが５デニール〜１５０デニールであることを特徴とする請求項２に記載の靴下。
【請求項６】
前記芯糸とカバー糸の少なくとも１の糸が、前記表糸の色と異なる色の糸であることを特徴とする請求項２又は５に記載の靴下。
【請求項７】
前記土踏まず部分を通過して足裏から足の甲の部分を周回する部分の、該土踏まず部分を除く部分が、畦編みもしくはメッシュ編み又は平編みであることを特徴とする請求項１〜６のいずれか１の項に記載の靴下。
【請求項８】
前記裏糸として、ＦＴＹを使用したことを特徴とする請求項１〜７のいずれか１の項に記載の靴下。
【発明の詳細な説明】
【技術分野】
【０００１】  本発明は、靴下、特にフィット感に優れスポーツ用靴下として好適な靴下に関する。
【背景技術】
【０００２】  近年、靴下は、他の分野の製品と同じように、各種用途に合わせた特有の特性をもった種々のものが提供されている。例えば、介護用やスポーツ用として、介護あるいはそのスポーツに合致した特性を備えるべく構成された靴下が提供されている。前記スポーツ用靴下として、例えば、足のくるぶしの周囲を「８」の字状に締めつけるよう構成された、サポータ機能を付与した靴下（特許文献１）や、単に足首あるいは足のくるぶしの前方域をリング状に締めつけるよう構成されたサポータ機能を付与した靴下（特許文献２）が提供されている。【０００３】  これらサポータ機能を具備した靴下の場合、靴下を履いた当初確かにフイット感があり、足が軽くなったような感覚を得る。そして、このような感覚は、その靴下を履いている者の集中力を高め、そのスポーツにおいて、好プレーをもたらす。このようなことは、一流選手が自分に馴染んだ好みの用具にこだわることとも共通する。
【特許文献１】日本国登録実用新案第３０９０７３７号公報
【特許文献２】日本国公開実用新案昭和５７年−１４７２０７号公報
【発明の開示】
【発明が解決しようとする課題】
【０００４】  しかしながら、前記サポータ機能を備えた靴下を長時間（例えば、ウオーミングアップを含めると、少なくとも、サッカーの試合の場合には３〜４時間、野球の試合の場合には３〜４時間、テニスの試合の場合には３〜６時間）履くと、この間足をリング状に締めつけられた状態となる。かかる場合、締めつけられた足に鬱血が生じ、かえって足が疲れてしまうことになる。特に、前記各スポーツの練習や練習試合の場合には、前記靴下を履いている時間はさらに長くなり、５〜８時間程度も靴下を履いたままとなることがある。このような場合、健康上も支障をきたすことが危惧される。【０００５】  本発明は、このような状況に鑑みて行われたもので、本発明の第１の目的は、フイット感があり、しかも長時間履いた状態でも疲れや鬱血等が生じることがない靴下を提供することである。
【課題を解決するための手段】
【０００６】  本発明の目的は、以下の構成からなる靴下によって解決することができる。【０００７】  本発明にかかる靴下は、爪先から少なくとも足首までの長さを備え、且つ、編成糸を編成することにより形成された靴下であって、
この靴下の足裏の土踏まず部分（アーチ部分）の少なくとも内側半分の領域に、表糸と裏糸とで地編組織を編成するとともに、この表糸とともに補助糸をさらに挿入することによって、収縮した且つ伸長性を低減させた編成部分を形成したことを特徴とする。【０００８】  本第１の発明にかかる靴下によれば、前記領域に表糸とともに補助糸を挿入したので、表糸の伸長性が低減され且つ編地が収縮した状態となり、この編地の剛性（屈曲強さ）が大きくなる。つまり、該靴下の前記土踏まず部分の内側半分の領域に収縮した且つ伸長性を低減させた編成部分が形成され、この編成部分が周囲の編成部分の引っ張り力（収縮力）により、足の土踏まず部分の内側半分の部分（内側アーチ部分）にフィットした状態となる。このため、靴下を履いた状態においても内側縦アーチ部分が明確に形成されることから、運動時に、足が体のバランス（特に前後のバランス）を効率よくとるのを助け、しかも衝撃力を足の内側アーチ部分で有効に吸収することができる。この結果、足が疲れにくく、また体の上方に位置する内蔵や頭部への衝撃が緩和され、体の疲れが少なくなる。また、この靴下の場合には、足裏から甲にかけて周回して締めつけないため、足底動脈や足底神経等を無用に圧迫することがない。このため、鬱血等が生じ難く、この点においても、足の疲れが緩和される。
そして、この靴下は、足の土踏まず部分の内側半分の部分にフィットするような形状に内部が形成されているスポーツシューズ（例えば、バスケットシューズやジョギンシューズ等）を履いている場合には、前記内側縦アーチがよりしっかり形成され、この結果、前記効果がより顕著になるとともに、靴下とシューズを含めて足との一体感が増加して、極めて足が軽く感じられる。
また、足の土踏まず部分、特に該土踏まず部分の内側半分の部分には、汗線が集中しているが、この部分に当接する前記編地に、裏糸と表糸に加えてさらに前記補助糸が挿入されているため、汗の吸収性が増加し、使用する者に長時間にわたって不快感を感じさせない点においても好ましい。【０００９】  前記靴下において、前記補助糸が、芯糸とカバー糸を有するＦＴＹ（フィラメント・ツイスト・ヤーン）であり、前記カバー糸にポリエステル糸あるいはナイロン糸を使用したものであると、これらＦＴＹのバルキー性の高さに起因して、該土踏まず部分の内側半分の領域の編地の厚さが厚くなり、カバー糸と芯糸の各糸自体が有する汗の吸収能力の他に、カバー糸と芯糸の間の空間で汗を保持することができ、汗腺の多い土踏まず部分の汗を効果的に吸収することができる点においても好ましい構成となる。また、靴下の前記土踏まず部分の内側半分の領域にこのようなポリエステル糸あるいはナイロン糸を有する補助糸を挿入すると、編成完了後にヒートセット処理をおこなうことによって、これらの糸の有する熱可塑性に起因してこの領域が剛性（耐屈曲性）の高い部分となり、該領域をさらに収縮した伸長性の低いものとすることができる。【００１０】  前記靴下において、前記足裏の土踏まず部分の内側半分の領域の編成糸として、さらにゴム糸が挿入されていると、該内側半分の領域の編地の収縮性がさらに増加してフィット感をさらに増加させることができる。また、ゴム糸が伸縮性のある芯糸とその回りのカバー糸から構成されているため、この領域の編地の厚さをさらに増加させることができ、前述の汗の吸収機能をさらに増加させることができる点で、好ましい構成となる。【００１１】  前記靴下において、前記土踏まず部分の地編組織が、畦編み（「ゴム編み」又は「リブ編み」ともいう）又はメッシュ編みであると、編組織に起因する、収縮性を増加させることができる点において好ましい。【００１２】  前記靴下において、前記芯糸の太さが２５デニール〜１１０デニールであり、前記カバー糸の太さが５デニール〜１５０デニールであると、前記編地の収縮性の増加を図り、伸長性を低減させ、且つ円滑な編成を可能にする点において、好ましい構成となる。
前記靴下において、前記芯糸又はカバー糸の少なくとも１の糸が、前記表糸の色と異なる色の糸であると、左右の靴下を確実に区別でき、左右の靴下を履き間違えることが無い点で、好ましい構成となる。
前記靴下において、前記土踏まず部分を通過して足裏から足の甲の部分を周回する部分の、該土踏まず部分を除く部分が、畦編み（ゴム編み又はリブ編みともいう）もしくはメッシュ編み又は平編みの編組織であると、この編組織に起因して収縮性と伸長性がともに増加するため、該靴下の土踏まず部分を足の土踏まず部分に密着させることができるとともに、スムーズに靴下を履きあるいは脱ぐことができる構成となる。【００１３】  前記靴下において、前記裏糸として、ＦＴＹを使用すると、編成後にヒートセット処理することにより、さらに前記領域において収縮性を高めることができるとともにさらに前記領域の編地の伸長性が低減できる構成を実現でき、よりフィット感を高めることができる。また、汗の吸収性をさらに高めることができる。
【発明の効果】
【００１４】  前述のように構成される本発明によれば、スポーツ用靴下として好適な、フィット感のある、しかも、長時間履いても鬱血することなく且つ足の疲労が生じることのない靴下を提供することができる。
【図面の簡単な説明】
【００１５】
【図１】図１は、本発明の一実施例にかかる靴下をやや底面方から見た斜視図である。
【図２】図２は、図１に示す靴下の側面図である。
【図３】図３は、図１に示す靴下の土踏まず部分の内側半分の領域とそれに連続する側面下部の部分の編成（編組織）を示す部分拡大図である。
【図４】編針に挿入される各糸の順序を示す編機の編針部分の部分拡大側面図である。
【符号の説明】
【００１６】Ａ    靴下
１    土踏まず部分
１ａ  土踏まず部分の内側半分の領域
１Ａ  ゴム糸
１Ｂ  裏糸（ＦＴＹ）
１Ｃ  表糸
１Ｄ  補助糸（ＦＴＹ）
２    爪先部分
３    開口部分
５    内側半分の領域に連続する内側面
５ｕ  内側半分の領域に連続する内側面の下部の部分
【発明を実施するための最良の形態】
【００１７】  以下、本願発明の実施例にかかる靴下を、図面を参照しながら具体的に説明する。【００１８】  図１において、Ａは少なくとも図４に図示する裏糸１Ｂと表糸１Ｃとを地編組織として編成することにより形成された靴下で、この靴下Ａの場合には、図４に図示するように、前記裏糸１Ｂと表糸１Ｃの他に、適宜部位にゴム糸１Ａが挿入されている。
そして、この靴下Ａは、足裏の土踏まず部分に当接する所謂土踏まず部分１を有する。この土踏まず部分１は、一般に靴下業界等において「アーチ部分」とも呼ばれている。【００１９】  本靴下Ａ場合、前記土踏まず部分１の内側半分の領域１ａとこれに連続する内側面５の下部の部分５ｕに、図４に図示する如く、前記裏糸１Ｂと前記表糸１Ｃと前記ゴム糸１Ａに加えて、さらに補助糸１ＤとしてＦＴＹが前記表糸１Ｃとともに挿入された編地１０（図１参照）が編成されている。この編地１０は、この実施例の場合には、１×１メッシュの編組織で編成されており、この編組織を拡大して表すと図３に図示するようになる。なお、図３において、横方向に描かれた細線は、１コースおきに挿入されている前記ゴム糸１Ａを表している。【００２０】  前記編地１０への各糸の挿入は、図４に図示するように、編針２０に対して、ゴム糸１Ａ、裏糸１Ｂ、表糸１Ｃ、補助糸１Ｄの順に挿入される。
そして、この編地１０の裏面（図示せず）には、前記ゴム糸１Ａと裏糸１Ｂとが露呈し、また、編地の表面１０ｓ（図１、図２参照）には、前記表糸１Ｃと前記補助糸１Ｄとが露呈する。【００２１】  ところで、前記ゴム糸１Ａは、編針２０に対して、伸長させた状態（引き延ばした状態）で挿入されており、このため、編成後、この編地１０が収縮した且つ伸長性の低い状態になるのに貢献している。【００２２】  また、この実施例では、前記補助糸１Ｄは、前記編地１０において全コースに挿入されるのでなく、３コース挿入して２コース挿入しない挿入パターンを繰り返す形態で挿入されている。しかし、この補助糸１Ｄの挿入の形態は単なる例示であって、必要とする収縮性能や伸長性能に合致するように挿入すればよい。従って、必要な場合には、編地１０の全てのコースにおいて補助糸１Ｄを挿入してもよい。あるいは１コース毎に該補助糸１Ｄの挿入と非挿入を繰り返すような形態で挿入してもよい。あるいは２コース毎に該補助糸１Ｄの挿入と非挿入を繰り返すような形態で挿入する等、その他の形態で挿入してもよい。【００２３】  また、この実施例にかかる靴下Ａでは、前記土踏まず部分１を通過して足裏から足の甲の部分を周回するリング状の部分において、該土踏まず部分１の内側半分の領域１ａとこれに連続する内側面５の下部の部分５ｕを除くその他の部分１Ｇは、伸縮性に富んだ編組織で形成することが望ましい。例えば、この実施例の場合には、前記部分１Ｇは、靴下Ａの甲の部分４を前記裏糸１Ｂと表糸１Ｃおよびゴム糸１Ａとを用いてメッシュ編みあるいは平編みにより編成し、該甲の部分４以外の部分６は、前記裏糸１Ｂと表糸１Ｃとを用いて平編により編成している。前記部分１Ｇの一部の編組織を畦編みにしてもよい。この部分の編成においては、大きな伸縮性をもたせるために、前記ゴム糸１Ａは伸長させることなく挿入することが望ましい。
しかし、前記部分１Ｇの編組織は、この記実施例に限定されるものでなく、前記編組織以外にも、適宜編組織によって編成することができる。例えば、最も簡単な構成としては、前記部分１Ｇの全てを、前記裏糸１Ｂと表糸１Ｃおよびゴム糸１Ａとによって畦編みで編成してもよく、あるいはメッシュ編みで編成しても、又は平編みで編成してもよい。【００２４】  この実施例の場合、前記部分１Ｇを、前述のように大きな伸縮性が得られる編組織で編成しているため、前記領域１ａと前記部分５ｕからなる編地１０部分を、足の表面に引きつけて足の土踏まず部分にフィットさせるのに貢献している。【００２５】  ところで、この実施例にかかる靴下Ａの場合、爪先部分２および足裏の爪先部分２ｕに続く踵部分９よりの部分７は、畦編みで編成され且つ靴下Ａの裏面にパイルが形成されている。【００２６】  また、前記爪先部分２は、二股状に、つまり、親指を収納する袋状の部分２Ａとその他の指を収納する袋状の部分２Ｂとからなっている。このような形態の靴下は、一般にツー・フィンガーズ・ソックス（靴下）と呼ばれている。
しかし、前記靴下Ａの爪先部分がこれのような二股状のものに限定されるものでなく、通常の靴下のように、全ての指を収納する単一の袋状の形態のもの、つまり極く一般の形態の靴下に構成しても、勿論よい。あるいは、５本の指を別々に収納するように５つの袋状の部分を有する形態の靴下（ファイブ・フィンガーズ・ソックス）に構成にしてもよい。【００２７】  さらに、靴下Ａの履き口となる開口部３は、所定コースにわたって、例えば、この実施例では、１５コースにわたって、前記裏糸１Ｂと表糸１Ｃ畦編みで編成されるとともに、ゴム糸１Ａを緯糸として各コース毎に前記畦編み中に挿入している。このため、前記開口部３を大きく拡げることができ、従って、該靴下Ａを履いたり脱いだりし易い構成となっているとともに、ずり落ち難い構成となっている。【００２８】  ところで、前記裏糸１Ｂは、この実施例の場合ＦＴＹが使用されている。【００２９】  また、前記表糸１として、この実施例では、単糸を複数本（この実施例では３本）撚りを与えない状態にしたものを用いている。しかし、この表糸１として、双糸（双糸：単糸を２本撚り合わせた糸）や３子糸（みこいと：単糸を３本撚り合わせた糸）、４子糸（よっこいと：単糸を４本撚り合わせた糸）等の撚糸を用いてもよい。この表糸１として、双糸、３子糸、４子糸等の撚糸を使用した場合、編地の表面に腰をもたせることができる。【００３０】  また、前記ゴム糸１Ａは、一般に靴下の編成糸として用いられる、芯部に線状のゴムを配置してその周囲をカバー糸で覆った形態のものが用いられている。このゴム糸１Ａは、１００〜１０００デニールの太さの糸が好ましく、さらに好ましくは３００〜６００デニールの太さの糸で、この実施例では、４２０デニールの糸が使用されている。【００３１】  また、前記表糸１Ｃとしては、４０〜３００デニールの単糸を複数本にして合計の糸太さが１５０〜１１００デニールの糸にして使用するのが好ましく、この実施例では単糸の太さが１６６デニールのものを３本で合計の糸太さが４９８デニールの糸を使用している。【００３２】  そして、前記補助糸１Ｄを構成するＦＴＹは、芯糸に１０〜３００デニール、好ましくは２５〜１１０デニール、さらに好ましくは４０〜７０デニールの太さのポリウレタン糸（スパンデックス糸）が使用され、カバー糸に５〜３００デニール、好ましくは３０〜１００デニール、さらに好ましくは６０〜９０デニールの太さのポリエステル糸あるいはナイロン糸が使用される。具体的には、例えば、この実施例では、補助糸１Ｄの芯糸に７０デニールのポリウレンタン糸が、同カバー糸に７０デニールのナイロン糸が使用されている。
また、裏糸１Ｂを形成するＦＴＹは、芯糸に、１０〜３００デニール、好ましくは３０〜１００デニール、さらに好ましくは４０〜８０デニールの太さのポリウレタン糸が使用され、カバー糸に、５〜３００デニール、好ましくは４５〜１５０デニール、さらに好ましくは７０〜１００デニールの太さのポリエステル糸あるいはナイロン糸が使用される。具体的には、例えば、この実施例では、芯糸に４０デニールのポリウレンタン糸が、カバー糸に１５０デニールのポリエステル糸が使用されている。ここで、前記カバー糸としてナイロン糸が使用されるのは、該ナイロン糸が靴下に編成された後に後述するヒートセット処理がなされると、熱可塑化して冷却した後に編組織が外圧が作用しない状態での形態がほぼ定まった状態となって収縮した且つ伸長性が大幅に低減されるという、性質を備えているためである。【００３３】  そして、前述のような編組織によって所定の靴下に編成した後、該靴下は、ヒートセット処理がなされる。この実施例では、このヒートセット処理は、０．５気圧（５０６．５ｈＰａ）〜２．５気圧（２５３２．５ｈＰａ）、好ましくは１．５気圧（１５１９．５ｈＰａ）〜２．５気圧（２５３２．５ｈＰａ）の加圧下、さらに好ましくは２．０気圧（２０２６ｈＰａ）〜２．５気圧（２５３２．５ｈＰａ）下において蒸気をかけて、４０〜９０秒、好ましくは５０〜７０秒間、１２５〜１５０℃、好ましくは１３０〜１４５℃に保って、加熱することを内容とする。このヒートセット処理は、通常の靴下に形を整えるべくおこなうヒートセット処理に比べて、温度が高く（約５〜１０℃程度高く）且つ圧力が大きく（約０．５気圧（５０６．５ｈＰａ）〜１気圧（１０１３ｈＰａ）程度大きく）、処理時間も長く（約５秒〜１５秒程度長く）なっている。これらの差は、目的が異なるためである。
そして、このようにヒートセット処理されると、編地１０の前記補助糸１Ｄと裏糸１Ｂを有する表面および裏面が、共に、収縮し且つ伸長性が大幅に低減される。つまり、この編地１０は、立体的に、収縮し且つ伸長性が低減されることになる。換言すれば、前記編地１０は、面的に剛性を備える。また、前記ゴム糸１Ａが、編地１０に収縮した且つ伸長性が低減された状態を与える。【００３４】  そして、このように構成された本実施例にかかる靴下Ａによれば、該靴下Ａを履いた状態において、この靴下Ａの土踏まず部分１の内側半分の領域１ａとこれに連続する内側面５の下部の部分５ｕの編地１０が、収縮した且つ伸長性が低い状態となる。
この結果、この靴下Ａの土踏まず部分１を通過して足裏から甲にかけて周回するリング状の部分のうち、該編地１０以外の部分１Ｇの、収縮性を備えた編地（編組織）の収縮作用により、面的な剛性を備えた該編地１０が、足裏の内側アーチ部分に引きつけられ、フィット感に関する感受性の高い足の「アーチ部分の内側の部位」およびそれに隣接する足の側面の下部部位に、適度な圧力で密着（密接）する。このため、前述した本発明特有の作用効果に加えて、感覚的に高いフィット感を得ることができる。しかも、前記部分１Ｇが、伸縮性に富んだ編組織によって編成されているため、従来のサポート機能を備えた靴下の如く足をリング状に強く締めつけられることがない。このため、この靴下Ａを長時間履いても、足が鬱血し、足の神経が無用に圧迫されて、疲れるようなことがない。しかも、この靴下Ａは、従来のサポート機能を具備した靴下と同様に、フィット感を有し、足が体のバランスを効率よくとることができ、しかも衝撃力を足の内側アーチ部分で有効に吸収することができる。【００３５】  そして、本実施例にかかる靴下Ａのように爪先部分２および前記部分７の内面にパイルが形成されていると、爪先部分２で体重を支えることが多いバスケットボール用等の靴下として衝撃力を緩和する点で好ましい。また、この靴下Ａの場合、踵部分９の内面にもパイルが形成されており、このため、ジャンプして着地した際に足の踵部分に作用する衝撃力を緩和することができる。
さらに、この靴下Ａの場合、甲の部分４の内面に適宜間隔でパイル（図１，図２の波状の盛り上がり参照）が形成されており、このため、靴紐の締めつけによる足への影響を緩和することができる。かかる構成によっても、疲れにくい且つ鬱血するのを防止することができる靴下となる。勿論、このように靴下Ａの甲の部分４の内面にパイルが形成されていると、サッカーにおいてボールを蹴るときの衝撃をも、緩和することもできる。【００３６】  ところで、前記実施例では、爪先から足首までの比較的短い靴下を例に説明したが、この形態の靴下に限定されるものでなく、サッカー用や野球用の靴下のように、足首（くるぶし）からさらに上方まで延びた形態の靴下にも本発明が適用することができることは言うまでもない。さらに、その他のスポーツやジョギング等の靴下にも本発明が適用できることは言うまでもない。【００３７】  また、前記実施例において、前記補助糸１Ｄの糸の色を前記裏糸１Ｂや表糸１Ｃの色と異なる色の糸にすると、靴下の表面にこの補助糸１Ｄが表れることから、左右で構成が異なるこの靴下の左右の区別がし易い構成となる。特に、爪先部分２が１つの袋状の通常の形態の靴下の場合、前記構成は、靴下の左右を誤って逆に履くような事態を防止できる点で、好ましい構成となる。【００３８】  前記実施例では、編地１０が土踏まず部分の内側半分の領域１ａとこれに連続する内側面５の下部の部分５ｕにだけ形成されているが、土踏まず部分１全体に前記編地１０が形成されていても良いことは言うまでもない。【００３９】  本発明は、前記実施例に限定されるものでなく、同じ技術的思想の範囲において種々変更した形態で実施できることは言うまでもない。
【産業上の利用可能性】
【００４０】  本発明は、編糸を編成することにより製造される靴下に適用することができる。
【図１】
2007088634.tif 000003
【図２】
2007088634.tif 000004
【図３】
2007088634.tif 000005
【図４】
2007088634.tif 000006
【手続補正書】
【提出日】平成18年8月1日(2006.8.1)
【手続補正１】
【補正対象書類名】特許請求の範囲
【補正対象項目名】全文
【補正方法】変更
【補正の内容】
【書類名】請求の範囲
【請求項１】  爪先から少なくとも足首までの長さを備え、且つ、編成糸を編成することにより形成された靴下であって、
この靴下の足裏の土踏まず部分の少なくとも内側半分の領域に、表糸と裏糸とで地編組織を編成するとともに、この表糸とともに補助糸をさらに挿入することによって、収縮した且つ伸長性を低減させた編成部分を形成したことを特徴とし、
前記補助糸が、芯糸とカバー糸を有するＦＴＹであり、前記カバー糸にポリエステル糸あるいはナイロン糸を使用したものであり、
編成完了後にヒートセット処理を施したことを特徴とする靴下。
【請求項２】（削除）
【請求項３】  前記足裏の土踏まず部分の内側半分の領域の編成糸として、さらにゴム糸が挿入されていることを特徴とする請求項１記載の靴下。
【請求項４】  前記土踏まず部分の内側半分の領域の地編組織が、畦編みもしくは平編み又はメッシュ編みであることを特徴とする請求項１又は３記載の靴下。
【請求項５】  前記芯糸の太さが２５デニール〜１１０デニールであり、前記カバー糸の太さが５デニール〜１５０デニールであることを特徴とする請求項１に記載の靴下。
【請求項６】  前記芯糸とカバー糸の少なくとも１の糸が、前記表糸の色と異なる色の糸であることを特徴とする請求項１又は５に記載の靴下。
【請求項７】  前記土踏まず部分を通過して足裏から足の甲の部分を周回する部分の、該土踏まず部分を除く部分が、畦編みもしくはメッシュ編み又は平編みであることを特徴とする請求項１、３〜６のいずれか１の項に記載の靴下。
【請求項８】  前記裏糸として、ＦＴＹを使用したことを特徴とする請求項１、３〜７のいずれか１の項に記載の靴下。
【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
爪先から少なくとも足首までの長さを備え、且つ、編成糸を編成することにより形成された靴下であって、
この靴下の足裏の土踏まず部分の少なくとも内側半分の領域に、表糸と裏糸とで地編組織を編成するとともに、この表糸とともに補助糸をさらに挿入することによって、収縮した且つ伸長性を低減させた編成部分を形成したことを特徴とし、
前記補助糸が、芯糸とカバー糸を有するＦＴＹであり、前記カバー糸にポリエステル糸あるいはナイロン糸を使用したものであり、
編成完了後にヒートセット処理を施したことを特徴とする靴下。
【請求項２】
前記足裏の土踏まず部分の内側半分の領域の編成糸として、さらにゴム糸が挿入されていることを特徴とする請求項１記載の靴下。
【請求項３】
前記土踏まず部分の内側半分の領域の地編組織が、畦編みもしくは平編み又はメッシュ編みであることを特徴とする請求項１又は２記載の靴下。
【請求項４】
前記芯糸の太さが２５デニール〜１１０デニールであり、前記カバー糸の太さが５デニール〜１５０デニールであることを特徴とする請求項１に記載の靴下。
【請求項５】
前記芯糸とカバー糸の少なくとも１の糸が、前記表糸の色と異なる色の糸であることを特徴とする請求項１又は４に記載の靴下。
【請求項６】
前記土踏まず部分を通過して足裏から足の甲の部分を周回する部分の、該土踏まず部分を除く部分が、畦編みもしくはメッシュ編み又は平編みであることを特徴とする請求項１〜５のいずれか１の項に記載の靴下。
【請求項７】
前記裏糸として、ＦＴＹを使用したことを特徴とする請求項１〜６のいずれか１の項に記載の靴下。
【国際調査報告】
2007088634.tif 000007
2007088634.tif 000008